(57)【要約】【課題】  ブーム式散布機に静電噴霧機能を付加するための静電噴霧用電極部材において、漏電防止の確実性をより一層高めることができるものを提案する。【解決手段】  ブーム２ａから下向きに延びるとともに電気絶縁性と所定の長さを有する電極支持棒７と、該電極支持棒７の下端部７ａに支持されて噴霧ノズル３から噴出される噴霧液滴Ｓを帯電させる電極８と、前記電極支持棒７の上端部７ｂに連設され、前記電極支持棒７を前記ブーム２ａに対して固定するための電気絶縁性を有する取付部材９を備え、該取付部材９が前記ブーム２ａの真下に位置する下向き開放面１０を備える。該下向き開口面１０には噴霧液滴Ｓが付着しにくいので、前記電極支持棒７側から前記ブーム２ａ側へと延びる噴霧液滴Ｓの連続膜がアース部である前記ブーム２ａへ到達することが防止され、漏電が防止できる。【選択図】    図２
2010064006.tif 000002
【特許請求の範囲】
【請求項１】
機体（１）の進行方向に対して左右方向に延びるブーム（２ａ，２ｂ，２ｃ）に沿って多数の噴霧ノズル（３）が所定間隔で下向きに配設されるブーム式散布機（４）において、前記多数の噴霧ノズル（３）のそれぞれに対応して配設され、該各噴霧ノズル（３）からの噴霧液滴（Ｓ）に電荷を付与する静電噴霧用電極部材（Ａ，Ｂ，Ｃ，Ｄ）であって、前記ブーム（２ａ，２ｂ，２ｃ）から下向きに延びるとともに電気絶縁性と所定の長さを有する電極支持棒（７）と、該電極支持棒（７）の下端部（７ａ）に支持されて前記噴霧液滴（Ｓ）を帯電させる電極（８）と、前記電極支持棒（７）の上端部（７ｂ）に連設され、前記電極支持棒（７）を前記ブーム（２ａ，２ｂ，２ｃ）に対して固定するための電気絶縁性を有する取付部材（９，３４，４０，５６）を備え、該取付部材（９，３４，４０，５６）が前記ブーム（２ａ，２ｂ，２ｃ）の真下に位置する下向き開放面（１０，３５，４６，５７）を備えている、静電噴霧用電極部材。
【請求項２】
前記電極（８）と前記電極支持棒（７）の間に電気絶縁性を有する漏電防止部（２０）が介装され、該漏電防止部（２０）は、前記電極（８）側から前記電極支持棒（７）の前記下端部（７ａ）側へと水平方向に延びて前記電極（８）から前記電極支持棒（７）までの沿面距離を拡大する少なくとも一つの筒状部（２３，２４）を備え、該少なくとも一つの筒状部（２３，２４）の一端部（２３ａ，２４ａ）は開口され且つ他端部（２３ｂ，２４ｂ）は閉鎖され、前記少なくとも一つの筒状部（２３，２４）の周面の下部には下向きに開口する切欠（２３ｃ，２４ｃ）が形成されている、請求項１に記載の静電噴霧用電極部材。
【請求項３】
前記少なくとも一つの筒状部が、相互間に隙間を有する外側筒状部（２３）及び内側筒状部（２４）であり、これらの筒状部（２３，２４）は、開口端部（２３ａ，２４ａ）が互いに逆向きに配設されるとともに閉鎖端部（２３ｂ，２４ｂ）同士が互いに連結されている、請求項２に記載の静電噴霧用電極部材。
【請求項４】
前記噴霧ノズル（３）の噴霧パターンが扇形状、前記電極（８）が板状であり、前記噴霧パターンの側面と前記漏電防止部（２０）とを仕切るように前記電極（８）が配設されている、請求項２又は３に記載の静電噴霧用電極部材。
【請求項５】
前記ブーム（２ａ）の下面に多数のノズル連結用ねじ孔（１３）が形成され、該ノズル連結用ねじ孔（１３）にニップル（１４）の上端部（１５）がねじ結合され、前記取付部材（９）の一端側に前記電極支持棒（７）の前記上端部（７ｂ）が連結され、前記取付部材（９）の他端側に前記ニップル（１４）の下端部（１７）が挿通されるニップル挿通孔（２２）が形成され、該ニップル挿通孔（２２）に前記ニップル（１４）の前記下端部（１７）を挿通して該下端部（１７）に前記噴霧ノズル（３）の液体入口側端部（１６）をねじ結合させることにより前記電極支持棒（７）が前記ブーム（２ａ）に対して固定される、請求項１，２，３又は４に記載の静電噴霧用電極部材。
【請求項６】
前記ブーム（２ｂ）の下面の長さ方向に沿って溝（３１，３１）が形成され、該溝（３１，３１）は、開口幅（Ｗ）よりも幅広の内部空間（３２）を有し、前記取付部材（３４）には前記溝（３１，３１）に対応する位置に孔（３６，３６）又は切欠（５８，５８）が形成され、該孔（３６，３６）又は切欠（５８，５８）にはねじ（３７，３７）が下から挿通され、該ねじ（３７，３７）の上端部には、前記溝（３１，３１）の開口部から前記内部空間（３２）内へ挿入可能なナット（３８，３８）がねじ結合され、該ナット（３８，３８）は、前記溝（３１，３１）の開口幅（Ｗ）より狭い幅（ｗ）と前記内部空間（３２）の幅寸法（Ｔ）より大きい長さ（Ｌ）を有する、請求項１，２，３又は４に記載の静電噴霧用電極部材。
【請求項７】
前記ブーム（２ｃ）がノズル管であり、前記取付部材（４０）が、互いに組み合わされて前記ノズル管（２ｃ）を包囲する第一及び第二の取付片（４１，４２）であり、該取付片（４１，４２）同士をねじ（４５，４５）で互いに固着することにより前記取付部材（４０）が前記ノズル管（２ｃ）に固定される、請求項１，２，３又は４に記載の静電噴霧用電極部材。
【請求項８】
前記ねじ（４５，４５）の締緩操作により前記ノズル管（２ｃ）を中心とする前記取付部材（４０）の固定角度位置が変更可能とされている、請求項７に記載の静電噴霧用電極部材。
【請求項９】
前記取付部材が取付用のクランプ機能を備えている、請求項１，２，３又は４に記載の静電噴霧用電極部材。
【請求項１０】
前記電極支持棒（７）の長さ方向に対して直角な断面の外周形状に凹凸を含ませることにより前記電極支持棒（７）の表面積が増大されている、請求項１乃至９のいずれか一項に記載の静電噴霧用電極部材。
【請求項１１】
前記電極支持棒（７）は水平な鍔部（２１）を多段状に有し、該各鍔部（２１）には、電線固定用切欠（４７）が上下方向に並べて形成されている、請求項１乃至１０のいずれか一項に記載の静電噴霧用電極部材。
【請求項１２】
前記噴霧ノズル（３）の噴口（３ａ，３ｂ，３ｃ）の上下位置の変化に対応して前記電極（８）の上下位置を調整できるように前記電極支持棒（７）が長さ調整可能とされている、請求項１乃至１１のいずれか一項に記載の静電噴霧用電極部材。
【請求項１３】
前記電極（８）が前記機体（１）の進行方向の少なくとも後方へ向けて退避揺動可能となるように、前記電極支持棒（７）の少なくとも一部に弾性変形部が含まれている、請求項１乃至１２のいずれか一項に記載の静電噴霧用電極部材。
【請求項１４】
前記噴霧ノズル（３）に対する前記電極（８）の位置を少なくとも上下及び前後に調整できるように前記電極支持棒（７）の長さ及び形状が調整可能とされている、請求項１乃至１３のいずれか一項に記載の静電噴霧用電極部材。
【請求項１５】
前記電極支持棒（７）は水平な鍔部（５０）を多段状に有し、該鍔部（５０）の回りには、該鍔部（５０）を取り囲むように上下方向に延びて前記電極（８）から前記ブーム（２ａ，２ｂ，２ｃ）までの沿面距離を拡大する筒状の漏電防止部（５１）が配設されている、請求項１に記載の静電噴霧用電極部材。
【請求項１６】
前記漏電防止部（５１）が、相互間に隙間をあけて互いに連結された外側筒状部（５２）及び内側筒状部（５３）を備えている、請求項１５に記載の静電噴霧用電極部材。
【請求項１７】
前記筒状部（５２，５３）がそれらの上下方向の中央部同士で互いに連結されており、前記筒状部（５２，５３）の上下両端部がいずれも開口している、請求項１６に記載の静電噴霧用電極部材。
【請求項１８】
前記筒状部（５２，５３）がそれらの上端部同士又は下端部同士で互いに連結されており、前記各筒状部（５２，５３）の下端部又は上端部が開口している、請求項１６に記載の静電噴霧用電極部材。
【請求項１９】
前記電極支持棒（７）が中空に形成され、前記電極（８）に接続される電線（２５）が前記電極支持棒（７）の中空内部を通して配線可能とされている、請求項１に記載の静電噴霧用電極部材。
【発明の詳細な説明】
【技術分野】
【０００１】
本発明は、静電噴霧用電極部材に関する。この静電噴霧用電極部材は、機体の進行方向に対して左右方向に延びるブームに沿って多数の噴霧ノズルが所定間隔で下向きに配設されるブーム式散布機において、前記多数の噴霧ノズルのそれぞれに対応して配設され、該各噴霧ノズルからの噴霧液滴に電荷を付与するものである。
【背景技術】
【０００２】
下記特許文献１には、静電機能を備えていない噴霧装置に対し、簡単に且つ低コストで静電噴霧機能を付加できるようにした静電噴霧用電極部が提案されている。
【０００３】
この静電噴霧用電極部は、電気絶縁性を有する電極支持部を備え、該電極支持部の基端側が噴霧装置に取り付けられる。前記電極支持部の先端側には電極が支持され、該電極と噴霧される液体との間に印加される高電圧により噴霧液滴が帯電させられる。好適な実施の形態として、前記電極支持部が前記噴霧装置に着脱可能に取り付けられる。
【０００４】
前記静電噴霧用電極部は、好適な実施の一形態として、前記電極支持部における前記電極から前記噴霧装置までの途中部に、前記電極の電位が前記電極支持部を伝って漏電することを防止する漏電防止部を備える。該漏電防止部の好適例として、前記途中部の全周に渡る環状凹部を備えた態様や、該環状凹部の奥行きが前記途中部の延設方向へ延びている態様や、前記環状凹部の開口部が前記途中部の延設方向へ開口しているとともに、該開口部に対峙して該開口部の開口を狭める鍔部を備えた態様が例示されている。
【０００５】
ところで、噴霧装置の一例として、機体の進行方向に対して左右方向に延びるブームを備え、該ブームに沿って多数の噴霧ノズルが所定間隔で下向きに配設されているブーム式散布機が知られている（特許文献２，３参照）。
【特許文献１】特開２００６−１５２９３号公報
【特許文献２】特開２００２−６６４１１号公報
【特許文献３】実開昭５９−１５８４７１号公報
【発明の開示】
【発明が解決しようとする課題】
【０００６】
前記ブーム式散布機にあっては、前記多数の噴霧ノズルは噴口を下方に向けてブームの下側に所定間隔で配設されており、噴霧液滴も当然下方に向かって噴出するので原理的には前記噴霧ノズルより上方に噴霧液滴は存在しないが、実際には、対象作物の種類と繁茂状態、自然風の影響、及び走路の凹凸による前記ブームの揺動等によって、噴霧液滴の一部に舞い上がっては該ブーム周辺に降り落ちる浮遊噴霧液滴を生じ、微量ながら前記噴霧ノズルより上方の部位にも付着することがある。したがって、前記の如きブーム式散布機に静電噴霧機能を追加しようとする場合にも、前記静電噴霧用電極部のような漏電防止部を備えた静電噴霧用電極部材を利用する。この場合、前記多数の噴霧ノズルのそれぞれに対応して前記静電噴霧用電極部を配設していけばよい。前記特許文献１では、漏電防止を確実なものとするため、いくつかの態様の漏電防止手段が提案されてはいるものの、未だその確実性が十分とは言い難い。また、静電噴霧の分野では、漏電防止の確実性をでき得る限り向上させることが好ましい。
【０００７】
さらに、前記ブーム式散布機にはいくつかの種類があるので、そのそれぞれについて取付作業性の良い静電噴霧用電極部材の提案も望まれる。
【０００８】
本発明は、前記の如き事情に鑑みてなされたもので、ブーム式散布機に静電噴霧機能を付加するための静電噴霧用電極部材において、漏電防止の確実性をより一層高めることができるものを提案する。
【０００９】
また、本発明により、ブーム式散布機の種類のそれぞれについて取付作業性の良い静電噴霧用電極部材を提案する。
【００１０】
さらにまた、使用に便利な他の機能を有する静電噴霧用電極部材を提案する。
【課題を解決するための手段】
【００１１】
本発明に係る静電噴霧用電極部材は、次の構成のブーム式散布機について適用される。すなわち、機体の進行方向に対して左右方向に延びるブームに沿って多数の噴霧ノズルが所定間隔で下向きに配設されるブーム式散布機である。本発明に係る静電噴霧用電極部材は、前記多数の噴霧ノズルのそれぞれに対応して配設され、該各噴霧ノズルからの噴霧液滴に電荷を付与する静電噴霧用電極部材であって、前記ブームから下向きに延びるとともに電気絶縁性と所定の長さを有する電極支持棒と、該電極支持棒の下端部に支持されて前記噴霧液滴を帯電させる電極と、前記電極支持棒の上端部に連設され、前記電極支持棒を前記ブームに対して固定するための電気絶縁性を有する取付部材を備え、該取付部材が前記ブームの真下に位置する下向き開放面を備えることを特徴とする（請求項１）。
【００１２】
前記静電噴霧用電極部材は、前記取付部材によって前記ブームに対して固定される。前記噴霧ノズルからは下向きに噴霧液滴が噴出され、この噴霧液滴には、前記電極により電荷が付与される。電荷を帯びた噴霧液滴は下方にある対象物に対して付着する。前述のように、対象作物の種類と繁茂状態、自然風の影響、及び走路の凹凸による前記ブームの揺動等によって、噴霧液滴の一部は空中を浮遊し、前記噴霧ノズルよりも上方に位置する部位にも降りかかって前記電極支持棒の横向きの表面に付着する場合もある。しかし、前記取付部材には、前記ブームの真下に位置する下向き開放面が備わっているので、一旦空中に舞い上がってから落下する噴霧液滴は前記下向き開放面には付着しにくい。よって、たとえ前記電極から前記電極支持棒に沿って噴霧液滴の連続膜が上方へと延びて行ったとしても、前記下向き開放面を境にして連続膜が途切れることになり、アース部位となる前記ブームへと漏電することが防止される。
【００１３】
好適な実施の一形態として、前記電極と前記電極支持棒の間に電気絶縁性を有する漏電防止部が介装され、該漏電防止部は、前記電極側から前記電極支持棒の前記下端部側へと水平方向に延びて前記電極から前記電極支持棒までの沿面距離を拡大する少なくとも一つの筒状部を備え、該少なくとも一つの筒状部の一端部は開口され且つ他端部は閉鎖され、前記少なくとも一つの筒状部の周面の下部には下向きに開口する切欠が形成されている態様とすることもできる（請求項２）。
【００１４】
この実施の形態の場合、前記少なくとも一つの筒状部は、前記電極から前記電極支持棒までの沿面距離を拡大させる。これにより、前記電極側から前記ブーム側へと向かう、噴霧液滴の連続膜の生成に、より長時間がかかるようになる。その結果、前記ブーム側への漏電がより確実に防止される。また、前記筒状部の前記切欠は、前記静電噴霧用電極部材が洗浄水や雨水を浴びた場合の水抜き孔として作用する。このため、前記筒状部内に水が溜まることが防止される。前記切欠はまた、前記電極へ接続される電線の挿通孔としても作用する。このため、前記電極への配線がコンパクト且つスムーズに行える。
【００１５】
好適な実施の一形態として、前記少なくとも一つの筒状部が、相互間に隙間を有する外側筒状部及び内側筒状部であり、これらの筒状部は、開口端部が互いに逆向きに配設されるとともに閉鎖端部同士が互いに連結される態様とすることもできる（請求項３）。このようにすれば、前記筒状部の沿面距離がより大きくなるので、漏電防止効果が尚一層高まる。
【００１６】
好適な実施の一形態として、前記噴霧ノズルの噴霧パターンが扇形状、前記電極が板状であり、前記噴霧パターンの側面と前記漏電防止部とを仕切るように前記電極が配設される態様とすることもできる（請求項４）。このようにすれば、前記電極が仕切りとなり、噴霧液滴が前記漏電防止部側へと浮遊することが防止されるので、漏電防止効果の向上に貢献できる。また、前記噴霧ノズルの噴霧パターンと前記電極の形状との関係により、噴霧液滴への電荷付与の確実性及び効率性が向上する。
【００１７】
ところで、従来のブーム式散布機として、ブームの下面に多数のノズル連結用ねじ孔を有する形式の散布機が知られている。この形式の散布機に対する取付構造を含む静電噴霧用電極部材として、次の態様のものを採用することもできる。
【００１８】
すなわち、好適な実施の一形態として、前記ブームの下面に多数のノズル連結用ねじ孔が形成され、該ノズル連結用ねじ孔にニップルの上端部がねじ結合され、前記取付部材の一端側に前記電極支持棒の前記上端部が連結され、前記取付部材の他端側に前記ニップルの下端部が挿通されるニップル挿通孔が形成され、該ニップル挿通孔に前記ニップルの前記下端部を挿通して該下端部に前記噴霧ノズルの液体入口側端部をねじ結合させることにより前記電極支持棒が前記ブームに対して固定される態様とすることもできる（請求項５）。
【００１９】
この実施の形態によれば、前記ノズル連結用ねじ孔を有する従来のブームに対し、前記静電噴霧用電極部材を簡単且つ確実に取り付けることができる。
【００２０】
他の形式のブーム式散布機として、ブームに対して噴霧ノズルを固定するための特定構造の溝を備えたものも知られている。この溝は、ブームの下面の長さ方向に沿って形成され、開口幅よりも幅広の内部空間を有する。この形式の散布機に対する取付構造を含む静電噴霧用電極部材として、次の態様のものを採用することもできる。
【００２１】
すなわち、前記ブームの下面の長さ方向に沿って溝が形成され、該溝は、開口幅よりも幅広の内部空間を有し、前記取付部材には前記溝に対応する位置に孔又は切欠が形成され、該孔又は切欠にはねじが下から挿通され、該ねじの上端部には、前記溝の開口部から前記内部空間内へ挿入可能なナットがねじ結合され、該ナットは、前記溝の開口幅より狭い幅と前記内部空間の幅寸法より大きい長さを有する態様である（請求項６）。
【００２２】
この実施の形態では、前記ナットを前記溝に挿入し、前記ねじを締め付けると、前記ナットが前記溝の内部空間の壁面に当接し、前記ねじとの連れ回りが阻止される。このため、前記ねじを締め付けることにより、前記ナットと前記取付部材の上面との間で前記ブームの一部が挟持され、該ブームに対する前記静電噴霧用電極部材の取り付けが可能となる。
【００２３】
この実施の形態によれば、前記溝を有する従来のブームに対し、前記静電噴霧用電極部材を簡単且つ確実に取り付けることができる。
【００２４】
さらに、他の形式のブーム式散布機として、ブームがノズル管そのものである形式の散布機も知られている。この形式の散布機に対する取付構造を含む静電噴霧用電極部材として、次の態様のものを採用することもできる。
【００２５】
すなわち、好適な実施の一形態として、前記ブームがノズル管であり、前記取付部材が、互いに組み合わされて前記ノズル管を包囲する第一及び第二の取付片であり、該取付片同士をねじで互いに固着することにより前記取付部材が前記ノズル管に固定される態様とすることもできる（請求項７）。この取付構造によれば、前記ブームがノズル管である従来のブーム式散布機に対し、前記静電噴霧用電極部材を簡単且つ確実に取り付けることができる。
【００２６】
なお、この実施の形態の場合、さらに、前記ねじの締緩操作により前記ノズル管を中心とする前記取付部材の固定角度位置が変更可能とされる態様とすることもできる（請求項８）。これにより、静電噴霧の必要がないときには、前記静電噴霧用電極部材を前記噴霧ノズルから大きく離間した退避角度位置まで前記ノズル管を中心として大きく回動させて固定することができる。また、前記噴霧ノズルを異なる噴霧パターンのものに交換した場合等に、新たな噴霧ノズルに対する前記電極の位置関係を最適なものに設定することもできる。
【００２７】
好適な実施の一形態として、前記取付部材が取付用のクランプ機能を備えている態様とすることもできる（請求項９）。この実施の形態によれば、どのような形式のブーム式散布機についても、前記クランプ機能を利用して前記静電噴霧用電極部材を簡単且つ確実に取り付けることができる。なお、この実施の形態の場合、前記静電噴霧用電極部材を前記ブーム式散布機のいずれの部材に対して取り付けるかは任意でよい。
【００２８】
好適な実施の一形態として、前記電極支持棒の長さ方向に対して直角な断面の外周形状に凹凸を含ませることにより前記電極支持棒の表面積が増大されている態様とすることもできる（請求項１０）。この実施の形態によれば、前記電極支持棒の表面への噴霧液滴の連続膜の生成に長時間を要するようになるので、漏電防止に貢献できる。
【００２９】
好適な実施の一形態として、前記電極支持棒が多数の鍔部を多段状に有し、該各鍔部には、電線固定用切欠が上下方向に並べて形成されている態様とすることもできる（請求項１１）。この場合、前記多数の鍔部は、前記電極支持棒の表面積を拡大させ、その表面における噴霧液滴の連続膜の生成を可及的に遅らせて、前記電極に印加される高電圧の漏電を防止する。また、前記電極に接続される電線は、前記電線固定用切欠を利用して前記電極支持棒に沿って配設し固定することができる。
【００３０】
好適な実施の一形態として、前記噴霧ノズルの噴口の上下位置の変化に対応して前記電極の上下位置を調整できるように前記電極支持棒が長さ調整可能とされる態様とすることもできる（請求項１２）。この実施の形態によれば、噴口の上下位置が異なる複数種類の噴霧ノズルに対し、前記電極支持棒の長さを調整することで、常に確実に静電付与を行うことができる。
【００３１】
好適な実施の一形態として、前記電極が前記機体の進行方向の少なくとも後方へ向けて退避揺動可能となるように、前記電極支持棒の少なくとも一部に弾性変形部が含まれる態様とすることもできる（請求項１３）。この実施の形態によれば、前記機体を進行させながら行う散布作業中に、前記電極が何らかの障害物に衝突した場合でも、前記電極支持棒の弾性変形により、前記静電噴霧用電極部材の破損が防止できる。
【００３２】
好適な実施の一形態として、前記噴霧ノズルに対する前記電極の位置を少なくとも上下及び前後に調整できるように前記電極支持棒の長さ及び形状が調整可能な態様とすることもできる（請求項１４）。この実施の形態によれば、前記噴霧ノズルを異なる噴霧パターンのものに変更した場合等に、新たな噴霧ノズルに対する前記電極の位置関係を最適なものに設定することができる。
【００３３】
好適な実施の一形態として、前記電極支持棒が水平な鍔部を多段状に有し、該鍔部の回りには、該鍔部を取り囲むように上下方向に延びて前記電極から前記ブームまでの沿面距離を拡大する筒状の漏電防止部が配設されている態様とすることもできる（請求項１５）。この場合、前記筒状の漏電防止部内には、空気中を浮遊する噴霧液滴が入り込みにくい。また、前記漏電防止部は、同じく漏電防止効果を奏する前記鍔部の回りを取り囲むように配設されるので、噴霧液滴の連続膜の生成は一層確実に制限される。よって、漏電防止効果は尚一層大きなものとなる。 
好適な実施の一形態として、前記漏電防止部が、相互間に隙間をあけて互いに連結された外側筒状部及び内側筒状部を備える態様とすることもできる（請求項１６）。このようにすれば、一重の筒状部にした場合よりも沿面距離の拡大量が大きくなり、且つ、前記筒状部内へ浮遊噴霧液滴が一層入り込みにくくなる。よって、漏電防止効果が一層大きい。
【００３４】
前記漏電防止部の具体例として、前記筒状部がそれらの上下方向の中央部同士で互いに連結されており、前記筒状部の上下両端部がいずれも開口している態様とすることもできる（請求項１７）。
【００３５】
また、前記漏電防止部の他の具体例として、前記筒状部がそれらの上端部同士又は下端部同士で互いに連結されており、前記各筒状部の下端部又は上端部が開口している態様とすることもできる（請求項１８）。
【００３６】
他の好適な実施の一形態として、前記電極支持棒が中空に形成され、前記電極に接続される電線が前記電極支持棒の中空内部を通して配線可能とせしめることもできる（請求項１９）。このようにすれば、前記電線の回りに浮遊噴霧液滴が付かないので、前記電線が漏電の原因になることがない。また、前記機体を進行させながら行う噴霧作業中に前記電線が他の物に引っ掛かる等の問題もない。
【発明を実施するための最良の形態】
【００３７】
以下、添付図面を参照して、本発明の実施の形態について説明する。
【００３８】
本発明に係る静電噴霧用電極部材Ａ（Ｂ，Ｃ，Ｄ）は、図１に概略的に示すように、機体１の進行方向（紙面に垂直な方向）に対して左右方向に延びるブーム２に沿って多数の噴霧ノズル３が所定間隔で下向きに配設されるブーム式散布機４について使用される。前記ブーム式散布機４の典型例としては、作物の防除のために用いられる、それ自体周知の農用ブームスプレーヤを挙げることができる。
【００３９】
前記機体１は、乗用式又は歩行操作式の走行可能なものであり、該機体１には、散布用の導電性液体を貯留するタンク５や、該タンク５内の液体を前記多数の噴霧ノズル３へ向けて圧送する噴霧用ポンプ６等が搭載される。本発明に係る静電噴霧用電極部材Ａ（Ｂ，Ｃ，Ｄ）は、前記多数の噴霧ノズル３のそれぞれに対応して配設され、該各噴霧ノズル３から下方に噴出する噴霧液滴Ｓに電荷を付与する。これにより、前記噴霧液滴Ｓの作物に対する付着性が向上し、防除効果が大幅にアップする。
【００４０】
ところで、前記噴霧液滴Ｓは帯電しているので農作物への付着性が向上するが、それと同じく、帯電して浮遊する一部の噴霧液滴Ｓは前記静電噴霧用電極部材Ａ（Ｂ，Ｃ，Ｄ）自体にも付着しやすい。該静電噴霧用電極部材Ａ（Ｂ，Ｃ，Ｄ）に付着した噴霧液滴Ｓが連続膜となってアース部である前記ブーム２にまで到達してしまうと、前記噴霧液滴Ｓが導電性を有することから前記連続膜を介して高電圧のリークが生じ、静電付与に必要な高電圧が電極に有効に印加されなくなってしまう。このため、以下に説明する実施の形態には、前記現象に起因する漏電を効果に防止するための種々の手段が含まれている。
【００４１】
前記ブームスプレーヤ４の従来のブーム２は、次の三種に分類できる。一つは、下面に多数のノズル連結用ねじ孔１３が形成されている形式のブーム２ａである（以下、ねじ孔付ブームという）。二つ目は、下面の長さ方向に沿ってノズル管固定用の溝３１，３１が形成され、該溝３１，３１は、開口幅Ｗよりも幅広の内部空間３２を有する形式のブーム２ｂである（以下、溝付ブームという）。三つ目は、ブーム２ｃがノズル管そのものとされるタイプである（以下、ノズル管ブームという）。
【００４２】
なお、ブームの形式の違いに対応して、それを支持する前記機体１も大型のものから小型のものまで種々の形式があるが、本発明の要旨とは関係がないので詳細な説明を省略する。
【００４３】
本発明に係る静電噴霧用電極部材Ａ，Ｂ，Ｃ，Ｄは、前記いずれの形式のブーム２ａ，２ｂ，２ｃを搭載したブームスプレーヤについても具体化することができる。いずれの形式のブームに適用した場合にも共通の特徴は、次の通りである。すなわち、本発明に係る静電噴霧用電極部材Ａ，Ｂ，Ｃ，Ｄは、前記ブーム２から下向きに延びるとともに電気絶縁性と所定の長さを有する電極支持棒７と、該電極支持棒７の下端部７ａに支持されて前記噴霧液滴Ｓを帯電させる電極８と、前記電極支持棒７の上端部７ｂに連設され、前記電極支持棒７を前記ブーム２に対して固定するための電気絶縁性を有する取付部材９，３４，４０，５６を備え、該取付部材９が前記ブーム２の真下に位置する下向き開放面１０，３５，４６，５７を備えることを特徴とする。
【００４４】
本発明に係る静電噴霧用電極部材Ａ，Ｂ，Ｃ，Ｄは、前記三種のブーム２ａ，２ｂ，２ｃのそれぞれについて実施する場合に、各ブームの特徴的な構成に対応して、各ブームへの取付構造も異なる構成を有する。
【００４５】
以下、前記三種のブーム２ａ，２ｂ，２ｃのそれぞれについて適用される本発明の実施の形態を説明する。
【００４６】
まず、前記ねじ孔付ブーム２ａに対して好適な実施の形態である。
【００４７】
図２において、前記ねじ孔付ブーム２ａは、アルミニウム等の軽量素材で中空に形成されたブーム本体１１と、該ブーム本体１１の下面に一体に形成された送液管路１２を備える。該送液管路１２は、前記ブーム本体１１の長さ方向に沿って延び、前記送液管路１２に連通される多数の噴霧ノズル３に対して噴霧液を供給する。前記送液管路１２の下面には、多数のノズル連結用ねじ孔１３（図３参照）が所定間隔で配設されている。
【００４８】
前記噴霧ノズル３は、前記ノズル連結用ねじ孔１３にねじ結合するニップル１４を介して前記送液管路１２に連通連結される。そして、前記ニップル１４と前記噴霧ノズル３との間に、前記静電噴霧用電極部材Ａの取付部材９ａが支持される。
【００４９】
前記噴霧ノズル３は、薬液等の噴霧パターンが扇形状のものとされ、その噴霧パターンを複数種類（図示例では三種類）切り替え可能とされている。具体的には、前記噴霧ノズル３は、異なる噴霧パターンの三つの噴口３ａ，３ｂ，３ｃを備える。該三つの噴口３ａ，３ｂ，３ｃは、機体前後方向の軸線Ｘを中心として等角度間隔で外向き放射状に配設され、該前後軸線Ｘを中心として回動操作自在とされている。噴霧パターンの切り替えは、噴霧する薬液等の種類により、あるいは噴霧を必要とする作物の種類等に合わせて、前記前後軸線Ｘを中心とする前記噴霧ノズル３の回動操作により行われる。真下向きとなった噴口（図２では３ａ）のみが前記送液管路１２と連通され、その噴口から噴霧が行われる。
【００５０】
図３に示すように、前記ニップル１４は、前記ノズル連結用ねじ孔１３にねじ結合する上側雄ねじ部１５と、前記噴霧ノズル３の液体入口側端部である袋ナット１部６にねじ結合する下側雄ねじ部１７と、前記上側雄ねじ部１５と前記下側雄ねじ部１７との間のナット状部１８を備える。該ナット状部１８と前記送液管路１２の下面との間には、リング状のパッキン１９が介装される。
【００５１】
一方、前記静電噴霧用電極部材Ａは、図２及び図４に示すように、前記電極支持棒７と、前記電極８と、前記取付部材９と、漏電防止部２０を備える。
【００５２】
前記電極支持棒７は、電気絶縁性を有する所定の長さの棒材であり、具体的にはプラスチックで形成され、前記ブーム２ａの真下で下向きに延びている。前記電極支持棒７は、多数の水平な鍔部２１を多段状に有する。多数の水平な該鍔部２１は、近接した鍔部の間隙が浮遊した一部の噴霧液滴Ｓの侵入を抑制すると共に、それぞれが下向き開放面を備えた状態に等しいので、とりわけ各鍔部下面への付着を抑制し、更に、前記電極支持棒７の表面積を拡大させ、その表面における噴霧液滴Ｓの連続膜の生成を可及的に遅らせて、前記電極８に印加される高電圧の前記ブーム２ａ側への漏電を防止する。
【００５３】
前記電極８は、前記電極支持棒７の前記下端部７ａに支持され、前記機体１（図１参照）側の図示しない電源から高電圧を印加されて、前記噴霧ノズル３から噴出される噴霧液滴Ｓを帯電させる。前記電極８は、前記噴霧ノズル３の噴霧パターンが扇形状であることに対応して、板状電極とされている。前記電極８は、扇形状の噴霧パターンと平行となるように配設される。これらの構成により、噴霧液滴Ｓへの電荷付与の確実性及び効率性が向上させられる。
【００５４】
前記取付部材９は、前記ブーム２ａと平行に延びる板状又は棒状の部材である。前記取付部材９の一端側には、前記電極支持棒７の前記上端部７ｂが直角に連結され、他端側には、前記ニップル１４の下端部、すなわち、前記下側雄ねじ部１７が挿通されるニップル挿通孔２２が形成されている。前記取付部材９も、前記電極支持棒７と同じくプラスチックで形成される。
【００５５】
前記取付部材９は、前記ブーム２ａの真下に位置する前記下向き開放面１０を備える。この面１０は下向きであるので、ここには噴霧液滴Ｓが付着しにくい。よって、たとえ前記電極８から前記電極支持棒７に沿って噴霧液滴Ｓの連続膜が上方へと延びて行ったとしても、前記下向き開放面１０を境にして連続膜が途切れることになり、アース部位となる前記ブーム２ａへと漏電することが防止される。
【００５６】
前記漏電防止部２０は、電気絶縁性を備え、前記電極８と前記電極支持棒７との間に介装されている。前記漏電防止部２０は、少なくとも一つ（図示例では二つ）の筒状部２３，２４を備える。該筒状部２３，２４は、前記電極８側から前記電極支持棒７の前記下端部７ａ側へと水平方向に延び、前記電極８から前記電極支持棒７までの沿面距離を拡大させている。前記筒状部２３，２４の一端部２３ａ，２４ａは開口され且つ他端部２３ｂ，２４ｂは閉鎖され、前記筒状部２３，２４の周面の下部には、下向きに開口する切欠２３ｃ，２４ｃ（図４及び図５参照）が形成されている。
【００５７】
前記漏電防止部２０の作用効果は次の通りである。前記筒状部２３，２４により、前記電極８から前記電極支持棒７までの沿面距離が拡大される。これにより、前記電極８側から前記ブーム２ａ側へと向かう、噴霧液滴Ｓの連続膜の生成に、より長時間がかかるようになる。その結果、前記ブーム２ａ側への漏電がより確実に防止される。また、前記筒状部２３，２４の前記切欠２３ｃ，２４ｃは、前記静電噴霧用電極部材Ａが洗浄水や雨水を浴びた場合の水抜き孔として作用する。このため、前記筒状部２３，２４内に水が溜まることが防止される。前記切欠２３ｃ，２４ｃはまた、前記電極８へ接続される電線２５（図２参照）の挿通孔としても作用する。このため、前記電極８への配線がコンパクト且つスムーズに行える。前記電線２５は、前記筒状部２３の閉鎖端部２３ｂを貫通して前記電極８へと接続される。
【００５８】
本実施の形態では、前記少なくとも一つの筒状部が、相互間に隙間を有する外側筒状部２３及び内側筒状部２４とされる。これらの筒状部２３，２４は開口端部２３ａ，２４ａが互いに逆向きに配設され、それらの閉鎖端部２３ｂ，２４ｂ同士が前記内側筒状部２４内の連結片２６で互いに連結されている。前記各筒状部２３，２４の周面の下部に前記切欠２３ｃ，２４ｃが形成される。これらの構成により、前記筒状部２３，２４の沿面距離がより一層大きくなるので、噴霧液滴Ｓの連続膜の生成に一層長時間を要することになり、漏電防止効果が尚一層高まる。   前記静電噴霧用電極部材Ａを前記ブーム２ａ側に取り付けるには、図３に示すように、前記取付部材９の前記ニップル挿通孔２２に前記ニップル１４の下側雄ねじ部１７を挿通し、該下側雄ねじ部１７に前記噴霧ノズル３の前記袋ナット部１６をねじ結合させる。その結果、前記ニップル１４の前記ナット状部１８と前記袋ナット部１６との間で前記取付部材９が挟持される。なお、前記ニップル１４の前記ナット状部１８と前記取付部材９との間、及び、前記袋ナット部１６内には、それぞれリング状のパッキン２７，２８が介装される。
【００５９】
図２に示すように、前記静電噴霧用電極部材Ａの取付状態において、前記電極８は、前記噴霧パターンの側面と前記漏電防止部２０との間を仕切るように位置する。このため、前記電極８が仕切りとなり、噴霧液滴Ｓが前記漏電防止部２０側へと浮遊することが防止されるので、漏電防止効果の向上に一層貢献できる。
【００６０】
前記のような取付構造によれば、前記ノズル連結用ねじ孔１３を有する従来のブーム２ａに対し、前記静電噴霧用電極部材Ａを簡単且つ確実に取り付けることができる。
【００６１】
次に、前記溝付ブーム２ｂに対して好適な実施の形態を説明する。
【００６２】
図６において、前記溝付ブーム２ｂは、アルミニウム等の軽量素材で中空に形成されたブーム本体２９と、該ブーム本体２９の下面に形成されたノズル管収容溝３０と、前記ブーム本体２９の下面において前記ノズル管収容溝３０を挟む位置に形成された一対のノズル管固定用溝３１，３１を備える。前記ノズル管収容溝３０と前記各ノズル管固定用溝３１，３１は、前記ブーム２ｂの長さ方向に沿って互いに平行に延びている。前記ノズル管固定用溝３１，３１は、開口幅Ｗよりも幅広の内部空間３２を有する（図７参照）。ノズル管３３は、前記ノズル管収容溝３０内に収容され、前記ノズル管固定用溝３１，３１に係合する図示しないノズル管固定具で前記ブーム２ｂに対して固定される。前記ノズル管３３には、長さ方向に沿って所定間隔で多数の噴霧ノズル３が配設されている。該各噴霧ノズル３の具体的構成は、前記ねじ孔付ブーム２ａの前記噴霧ノズルと同一である。
【００６３】
本実施の形態における静電噴霧用電極部材Ｂは、取付部材３４の具体的構成を除いて、構成及びその作用効果とも、前記ねじ孔付ブーム２ａ用の前記静電噴霧用電極部材Ａと同じである。よって、前記のものと同一の部分には前記と同一の符号を付して説明を省略し、前記取付部材３４についてのみ詳細に説明する。
【００６４】
図６及び図７に示すように、本実施の形態においては、前記取付部材３４は、前記ブーム２ｂの下面の幅方向に延びる板状の部材であり、前記一対のノズル管固定用溝３１，３１に渡って延びる長さを有する。前記取付部材３４は、前記電極支持棒７と同じく、電気絶縁性の素材、具体的にはプラスチックで形成される。
【００６５】
前記取付部材３４の下面には、前記電極支持棒７が下向き直角に連結されている。前記取付部材３４の下面は、前記電極支持棒７の上端部７ｂが連結されている部分を除いて、前記ブーム２ｂの真下に位置する下向き開放面３５となっている。この面３５は下向きであるので、ここには噴霧液滴Ｓが付着しにくい。よって、噴霧液滴Ｓの連続膜が前記電極支持棒７側から前記ブーム２ｂ側へと延びて行くのを可及的に遅らせることができ、漏電防止に貢献できる。
【００６６】
図７及び図８に示すように、前記取付部材３４の両端部には、前記各ノズル管固定用溝３１，３１に対応する位置に、取付ねじ挿通孔３６，３６が形成されている。該各取付ねじ挿通孔３６，３６には、取付ねじ３７，３７が下から上向きに挿通され、該ねじ３７，３７の上端部にはナット３８，３８がねじ結合される。該ナット３８，３８は、図９に示すように、前記ノズル管固定用溝３１，３１の開口幅Ｗより狭い幅ｗと前記内部空間の幅寸法Ｔより大きい長さＬを有する。このため、前記ナット３８，３８は、前記ノズル管固定用溝３１，３１と長さ方向を一致させることで、該ノズル管固定用溝３１，３１内に挿入可能となる。
【００６７】
前記静電噴霧用電極部材Ｂを前記ブーム２ｂに取り付けるには、図９に仮想線で示すように、前記ナット３８，３８の長さ方向を前記ノズル管固定用溝３１，３１の長さ方向と一致させて、前記ナット３８，３８を前記ノズル管固定用溝３１，３１内に挿入する。そして、前記取付ねじ３７，３７を締め付け方向に回動させる。これにより、図９に実線で示すように、前記ナット３８，３８が前記ノズル管固定用溝３１，３１の前記内部空間３２の側壁３９，３９に当接し、前記ナット３８，３８の前記取付ねじ３７，３７との連れ回りが防止される。該取付ねじ３７，３７を一杯まで締め付けることで、図７に示すように、前記ナット３８，３８と前記取付部材３４との間で前記ブーム２ｂの一部が挟持され、前記静電噴霧用電極部材Ｂの取付が完了する。なお、前記ナット３８，３８の具体的な平面形状は、取付強度を向上させる観点からは、図９に示すような平行四辺形が好ましく、誤組立防止の観点からは、両端部を剣先形又は先丸形とするのが好ましい。
【００６８】
この実施の形態によれば、前記ノズル管固定用溝３１，３１を有する従来のブームに対し、前記静電噴霧用電極部材Ｂを簡単且つ確実に取り付けることができる。
【００６９】
次に、前記ノズル管ブーム２ｃに対して好適な実施の形態を説明する。
【００７０】
図１０に示すように、ノズル管ブーム２ｃは、それ自体がブームであるとともに送液管路であり、その長さ方向に所定間隔で多数の噴霧ノズル３を有する。該各噴霧ノズル３の具体的構成は、前記各実施の形態における前記噴霧ノズル３と同一である。図１０では、図示簡略化のため前記噴霧ノズル３を省略しているが、本実施の形態の静電噴霧用電極部材Ｃは、各噴霧ノズル３に隣接して前記ノズル管ブーム２ｃに対して取付固定される。
【００７１】
本実施の形態における静電噴霧用電極部材Ｃも、取付部材４０の構成を除いて、構成及びその作用効果とも、前記各静電噴霧用電極部材Ａ，Ｂと同じである。よって、前記のものと同一の部分には前記と同一の符号を付して説明を省略し、前記取付部材４０についてのみ詳細に説明する。
【００７２】
図１０に示すように、本実施の形態においては、前記取付部材４０が、互いに組み合わされて前記ノズル管ブーム２ｃを包囲する第一及び第二の取付片４１，４２を備える。上側の前記第一の取付片４１は、前記ノズル管ブーム２ｃの上半部に適合する凹部４３を備え、下側の前記第二の取付片４２は、前記ノズル管ブーム２ｃの下半部に適合する凹部４４を備える。これらの取付片４３，４４は、取付ねじ４５，４５で互いに固着することにより、前記ノズル管ブーム２ｃに対して固定される。したがって、従来のノズル管ブーム２ｃに対しても簡単且つ確実に取り付けることができる。前記取付片４３，４４は、前記電極支持棒７と同じく、電気絶縁性の素材、具体的にはプラスチックで形成される。
【００７３】
前記取付部材４０の下面、すなわち、前記下側取付片４２の下面には、前記電極支持棒７が下向き直角に連結されている。前記下側取付片４２の下面は、前記電極支持棒７の上端部７ｂが連結されている部分を除いて、前記ノズル管ブーム２ｃの真下に位置する下向き開放面４６となっている。この面４６は下向きであるので、ここには噴霧液滴Ｓが付着しにくい。よって、噴霧液滴Ｓの連続膜が前記電極支持棒７側から前記ブーム２ｃ側へと延びて行くのを可及的に遅らせることができ、漏電防止に貢献できる。
【００７４】
前記取付ねじ４５，４５としては、タッピンねじを用いることもできるが、他の実施の形態として、締緩操作を繰り返し行える形式とすれば、前記ノズル管ブーム２ｃを中心として前記静電噴霧用電極部材Ｃの固定角度位置を変更できるようになる。これにより、静電噴霧の必要がないときには、前記静電噴霧用電極部材Ｃを前記噴霧ノズル３から大きく離間した退避角度位置まで、図１０の矢印方向へと大きく回動させて固定することができる。また、前記噴霧ノズル３を異なる噴霧パターンのものに交換した場合等に、新たな噴霧ノズル３に対する前記電極８の離間位置関係を最適なものに設定することもできる。
【００７５】
図示してはいないが、本発明の他の実施の形態として、取付部材が取付用のクランプ機能を備えている態様とすることもできる。このようにすれば、どのような形式のブーム式散布機についても、前記クランプ機能を利用して静電噴霧用電極部材を簡単且つ確実に取り付けることができる。なお、この実施の形態の場合、静電噴霧用電極部材をブーム式散布機のいずれの部材に対して取り付けるかは任意である。クランプ機能を有する取付部材の具体例としては、ねじで押圧して固定する形式のほか、目玉クリップのような、ばね式クランプを採用することもできる。
【００７６】
なお、クランプ機能を有する前記取付部材にも、ブームの真下に位置する下向き開放面を設けることにより、漏電防止を図ることができる。
【００７７】
次に、図１１〜図１３を参照して、本発明のさらに他の実施の形態を説明する。
【００７８】
図１１の実施の形態に係る静電噴霧用電極部材Ｄは、電極支持棒７が水平な鍔部５０を多段状に有し、該鍔部５０の回りには、該鍔部５０を取り囲むように上下方向に延びて電極８からブーム２ａまでの沿面距離を拡大する筒状の漏電防止部５１が配設されている。すなわち、図１１の実施の形態は、前記漏電防止部５１の配設位置が前記水平な鍔部５０の回りである点と、前記漏電防止部５１の具体的構成の点において、図２及び図６に示された各実施の形態と異なる。
【００７９】
すなわち、図１１においては、電気絶縁性を有する前記漏電防止部５１が、相互間に隙間をあけて互いに連結された外側筒状部５２及び内側筒状部５３を備えている。これらの筒状部５２，５３は、内外二重となって多段状の前記鍔部５０を取り囲む。図１１の例では、前記筒状部５２，５３は、それらの上下方向の中央部同士を環状連結片５４で互いに連結されており、前記筒状部５２，５３の上下両端部はいずれも開口している。前記電極支持棒７への取付部として、前記内側筒状部５３の上下方向の中央部には、内向き鍔部５５が形成されている。
【００８０】
図示してはいないが、前記漏電防止部５１は、前記外側筒状部５２の横半分と前記内側筒状部５３の横半分とが一体化された左右一対の半円弧状部材を前記電極支持棒７を左右から挟むようにして接合することで、該電極支持棒７に対して取り付けることができる。
【００８１】
前記漏電防止部５１により、前記電極８から前記電極支持棒７までの沿面距離が拡大される。また、前記筒状部５２，５３内には、空気中を浮遊する噴霧液滴Ｓが入り込みにくい。これらにより、前記電極８側から前記ブーム２ａ側へと向かう、噴霧液滴Ｓの連続膜の生成に、より長時間がかかるようになる。その結果、前記ブーム２ａ側への漏電がより確実に防止される。
【００８２】
特に、前記漏電防止部５１は、前記外側筒状部５２と前記内側筒状部５３との二重構造とされているので、その分だけ沿面距離の拡大量が大きくなり、且つ、前記筒状部５２，５３内へ浮遊噴霧液滴が一層入り込みにくくなる。よって、漏電防止効果が一層大きい。さらに、前記漏電防止部５１は、同じく漏電防止効果を奏する前記鍔部５０の回りを取り囲むように配設されるので、噴霧液滴Ｓの連続膜の生成は一層確実に制限される。よって、漏電防止効果は尚一層大きなものとなる。
【００８３】
図１１の例においても、前記電極支持棒７の上端部には、該電極支持棒７をブーム２ａに対して固定するための電気絶縁性を有する取付部材５６が連設されており、該取付部材５６が前記ブーム２ａの真下に位置する下向き開放面５７を備えている。
【００８４】
図１１の取付部材５６は、図６〜図９の例と同じく、溝付ブーム２ｂへの取り付けに適する取付部材とされている。但し、これはあくまでも一例であり、図４や図１０の取付部材９，４０と同じ形式にすることで、前記ねじ孔付ブーム２ａや前記ノズル管ブーム２ｃへの取り付けに適するものにもできる。
【００８５】
図１１の前記取付部材は、図１２に示すように、図６〜図９の取付部材３４の前記取付ねじ挿通孔３６，３６に相当する要素として、両端部に取付ねじ挿通切欠５８，５８を有する。すなわち、溝付ブーム２ａ用の取付部材に設ける取付ねじ挿通部の具体的態様は、孔でも切欠でもよいということである。
【００８６】
また、図１１の実施の形態では、前記電極支持棒７が中空に形成され、前記電極８に接続される電線２５が前記電極支持棒７の中空内部を通して配線可能とされている。このようにすれば、前記電線２５の回りに浮遊噴霧液滴が付かないので、前記電線２５が漏電の原因になることがない。また、前記機体１を進行させながら行う噴霧作業中に前記電線２５が農作物や障害物に引っ掛かる等の問題もない。
【００８７】
具体的な構成として、図１１の例では、前記電極８が、前記電極支持棒７の下部に連設された中空の横杆５９に対して電極取付ボルト６０、ワッシャ６１及び電極取付ナット６２で固定され、前記電線２５は、前記横杆５９の端部から引き出されて、前記ワッシャ６１及び前記電極取付ボルト６０を介して、前記電極８へと電気的に接続されている。したがって、図１１の実施の形態では、前記電極取付ナット６２の締緩操作により、前記横杆５９に対する前記電極８の支持角度を適宜に調整することができる。よって、前記電極８と前記噴霧ノズル３の相対位置を最適なものに容易に設定できる利点もある。
【００８８】
既に述べたように、図１１の例では、前記筒状部５２，５３は、それらの上下方向の中央部同士を環状連結片５４で互いに連結されており、前記筒状部５２，５３の上下両端部はいずれも開口している。しかし、これには限定されず、他の実施の形態として、図１３に示すように、前記筒状部５２，５３がそれらの上端部同士において前記環状連結片５４で互いに連結され、前記各筒状部５２，５３の上端部が閉じ、且つ、下端部が開口している態様とすることもできる。また、図示してはいないが、図１３の例とは逆に、前記筒状部５２，５３がそれらの下端部同士で互いに連結され、前記各筒状部の下端部が閉じ、且つ、上端部が開口している態様とすることもできる。
【００８９】
前記いずれの静電噴霧用電極部材Ａ，Ｂ，Ｃ，Ｄにも適用可能な変形例として、次のような種々の実施の形態を採用することもできる。
【００９０】
（１）電極支持棒７の長さ方向に対して直角な断面の外周形状に凹凸を含ませることにより、前記電極支持棒７の表面積が増大されている態様とすることもできる。このようにすれば、電極支持棒７の表面への噴霧液滴Ｓの連続膜の生成に長時間を要するようになるので、漏電防止に貢献できる。
【００９１】
前記断面の形状の具体例は、例えば、図１４に示す如くである。この実施の形態は、電極支持棒７が前記多数の鍔部２１を有する場合にも、また、それを有しない場合にも実施可能である。前者の場合には、前記鍔部２１以外の全ての部分について、前記電極支持棒７の断面形状を図１４のように形成すればよい。後者の場合には、電極支持棒７の全長について、図１４のような一様な断面を有するようにすればよい。
【００９２】
（２）前記鍔部２１を多段的に有する電極支持棒７において、図１０に示すように、前記各鍔部２１に電線固定用切欠４７が上下方向に並べて形成されている態様とすることもできる。このようにすれば、電極８に接続される電線２５を、前記電線固定用切欠４７，４７・・・を利用して前記電極支持棒７に沿って配設し固定することができる。なお、図１０の前記電線固定用切欠４７は簡略化して円形の前記多数の鍔部２１周縁に図示したが、実施に当たっては、鍔部形状を非円形（楕円形、長円形、卵形等）とし、前記電極支持棒７を中心から偏倚させて長径側に深めの前記電線固定用切欠４７を形成する等により、鍔部実効面積の縮小を補完しておくことが望ましい。
【００９３】
（３）前記噴霧ノズル３の噴口３ａ，３ｂ，３ｃの上下位置の変化に対応して前記電極８の上下位置を調整できるように、前記電極支持棒７が長さ調整可能とされる態様とすることもできる。このようにすれば、前記噴霧ノズル３の回動操作により前記噴口３ａ，３ｂ，３ｃの上下位置が変化する場合でも、前記電極支持棒７の長さを調整することで、常に確実に静電付与を行うことができる。
【００９４】
前記電極支持棒７を長さ調整自在なものとするための具体的な手段としては、前記電極支持棒７の一部に、長さ固定機能を有する入れ子式の伸縮自在部を含ませたり、又はターンバックル式等の伸縮自在部を含ませることが挙げられる。
【００９５】
（４）前記電極８が前記機体１の進行方向の少なくとも後方へ向けて退避揺動可能となるように、前記電極支持棒７の少なくとも一部に弾性変形部が含まれる態様とすることもできる。このようにすれば、前記機体１を進行させながら行う散布作業中に、前記電極８が何らかの障害物に衝突した場合でも、前記電極支持棒７の弾性変形により、静電噴霧用電極部材の破損が防止できる。
【００９６】
なお、この実施の形態の具体例としては、前記電極支持棒７の少なくとも一部に、板ばね又はコイルばねを含ませることが挙げられる。これらのばねは、その全体を電気絶縁性素材で形成するのが好ましいが、金属製のばねの表面に電気絶縁性素材の被覆を施したものを採用することもできる。
【００９７】
（５）前記噴霧ノズル３に対する前記電極８の位置を少なくとも上下及び前後に調整できるように前記電極支持棒７の長さ及び形状が調整可能な態様とすることもできる。このようにすれば、前記噴霧ノズル７を異なる噴霧パターンのものに回動操作した場合等に、新たな噴口に対する前記電極８の位置関係を最適なものに設定することができる。また、静電噴霧を必要としない場合には、前記電極支持棒７を折り曲げ形状に変更して、前記電極８を前記噴霧ノズル３から大きく離間した退避格納位置へと移動させることもできる。
【００９８】
この実施の形態の具体例としては、前記電極支持棒７に、既に述べた態様の伸縮自在部を含ませるとともに、適宜の形式の関節部を含ませることが挙げられる。
【００９９】
（６）前記下向き開放面１０，３５，４６，５７は、前記噴口３ａ，３ｂ，３ｃより高い位置に遠ざけるほど浮遊する噴霧液滴Ｓが付着し難くなることが自明なので、前記噴霧ノズル３の装着位置を散布性能や収納性等に影響しない範囲でより下方に設定し、前記電極支持棒７をそれに応じて延長しても良い。
【０１００】
（７）前記ブーム２ａ，２ｂ，２ｃの真下に前記下向き開放面１０，３５，４６，５７を形成させた前記取付部材９，３４，４０，５６の端部を、前記ブーム２ａ，２ｂ，２ｃの外周面形状に沿って上方へ延出するように変形すれば、前記電極支持棒７の支持位置を前記ブーム２ａ，２ｂ，２ｃの下面から上面又は側面へと変更できる。
【０１０１】
（８）前記電極支持棒７に製造上又は組み付け上の制約がなければ、前記下向き開放面１０，３５，４６，５７自体を凹面に形成する変形が有効であり、更に、前記下向き開放面１０，３５，４６，５７の周囲に板状部材による噴霧液滴Ｓの侵入防止壁を設けることもできる。
【図面の簡単な説明】
【０１０２】
【図１】本発明に係る静電噴霧用電極部材の適用対象となるブーム式散布機（ブームスプレーヤ）の噴霧作業時の概略正面図である。
【図２】本発明の実施の一形態に係る静電噴霧用電極部材をねじ孔付ブームに取り付けた状態を示す斜視図である。
【図３】図２の部分断面図である。
【図４】図２中の静電噴霧用電極部材を他の方向から見た斜視図である。
【図５】図４中の漏電防止部の縦断面図である。
【図６】本発明の他の実施の形態に係る静電噴霧用電極部材を溝付ブームに取り付けた状態を示す斜視図である。
【図７】図６の部分断面図である。
【図８】図７中の取付部材の斜視図である。
【図９】図７のＩＸ−ＩＸ矢視断面図である。
【図１０】本発明のさらに他の実施の形態に係る静電噴霧用電極部材のノズル管ブームへの取付構造を示す要部斜視図である。
【図１１】本発明のさらに他の実施の形態に係る静電噴霧用電極部材の、一部を断面とした正面図である。
【図１２】図１１の取付部材の斜視図である。
【図１３】図１１の変形例の、一部を断面とした要部正面図である。
【図１４】電極支持棒の断面図である。
【符号の説明】
【０１０３】
１    機体
２（２ａ，２ｂ，２ｃ）  ブーム
３    噴霧ノズル
４    ブーム式散布機
７    電極支持棒
７ａ  電極支持棒の下端部
７ｂ  電極支持棒の上端部
８    電極
９，３４，４０，５６  取付部材
１０，３５，４６，５７  下向き開放面
１３  ノズル連結用ねじ孔
１４  ニップル
１５  ニップルの上端部（上側雄ねじ部）
１６  噴霧ノズルの液体入口側端部
１７  ニップルの下端部（下側雄ねじ部）
２０  漏電防止部
２１  鍔部
２２  ニップル挿通孔
２３，２４  筒状部
２３ａ，２４ａ  筒状部の開放端部
２３ｂ，２４ｂ  筒状部の閉鎖端部
２３ｃ，２４ｃ  切欠
２５  電線
３１  溝（ノズル管固定用溝）
３２  内部空間
３６  孔（取付ねじ挿通孔）
３８  ナット
４１，４２  取付片
４５  ねじ
４７  電線固定用切欠
５０  鍔部
５１  漏電防止部
５２  外側筒状部
５３  内側筒状部
Ａ，Ｂ，Ｃ，Ｄ    静電噴霧用電極部材
Ｌ    ナットの長さ
Ｓ    噴霧液滴
Ｔ    内部空間の幅寸法
Ｗ    溝の開口幅
ｗ    ナットの幅
【図１】
2010064006.tif 000003
【図２】
2010064006.tif 000004
【図３】
2010064006.tif 000005
【図４】
2010064006.tif 000006
【図５】
2010064006.tif 000007
【図６】
2010064006.tif 000008
【図７】
2010064006.tif 000009
【図８】
2010064006.tif 000010
【図９】
2010064006.tif 000011
【図１０】
2010064006.tif 000012
【図１１】
2010064006.tif 000013
【図１２】
2010064006.tif 000014
【図１３】
2010064006.tif 000015
【図１４】
2010064006.tif 000016